(57)【要約】【課題】大きな電力消費により使用者の想定外の高額の電気料金が生じることを抑制することができる空気調和機を提供する。【解決手段】本発明の空気調和機１は、冷媒を圧縮する圧縮機１４と、圧縮機の回転数を制御する制御部６とを備え、制御部は、圧縮機の単位期間Ｔにおける目標消費電力Ｂが設定される目標消費電力設定部３０と、単位期間Ｔにおける目標消費電力Ｂに基づき、単位期間Ｔにおける消費電力が目標消費電力Ｂを超えないように圧縮機１４の回転数を制御する目標消費電力制御部３２とを備える。【選択図】図２
2020020557.tif 000002
【特許請求の範囲】
【請求項１】
冷媒を圧縮する圧縮機と、
上記圧縮機の回転数を制御する制御部と、を有し、
上記制御部は、使用者により予め指示がなされた単位期間における上記圧縮機の目標消費電力を設定する目標消費電力設定部と、
上記単位期間における目標消費電力に基づき、上記単位期間における消費電力が上記目標消費電力を超えないように、上記圧縮機の回転数を制御する目標消費電力制御部とを備える、空気調和機。
【請求項２】
上記制御部の目標消費電力設定部は、上記単位期間における目標消費電力に対応した上記単位期間における目標電気料金を設定する目標電気料金設定部を備える、請求項１に記載の空気調和機。
【請求項３】
上記制御部の目標消費電力設定部は、さらに、上記目標電気料金設定部が上記目標電気料金を設定する際に、上記空気調和機の過去の単位期間における電気料金を表示する参考電気料金表示部を備える、請求項２に記載の空気調和機。
【請求項４】
上記制御部の目標消費電力制御部は、上記目標電気料金設定部が上記目標電気料金を設定した日前の上記単位期間における運転状態に基づき、上記目標電気料金を設定した日以後の上記単位期間における平均目標電力を決定する平均目標電力決定部と、上記平均目標電力決定部により決定された上記単位期間における上記平均目標電力に基づいて上記圧縮機の上限回転数を設定する上限回転数設定部と、を備える、請求項２又は請求項３に記載の空気調和機。
【請求項５】
上記制御部の目標消費電力制御部は、さらに、上記圧縮機が指令を受けた指令回転数が、上記上限回転数以上となるか否かを判定する回転数判定部を備え、上記圧縮機が指令を受けた指令回転数が、上記上限回転数以上となる場合には、上記回転数判定部により、上記圧縮機を上記上限回転数で運転させる、請求項４に記載の空気調和機。
【請求項６】
さらに、所定の情報を報知する報知部を備え、
上記制御部は、さらに、上記単位期間における上記圧縮機の消費電力の積算値が、上記単位期間における上記目標消費電力を超えていないか否かを判定する消費電力判定部を備え、上記単位期間における上記圧縮機の上記消費電力の積算値が上記目標消費電力を超えた場合には、上記報知部により上記消費電力の積算値が上記目標消費電力を超えた情報を報知させる、請求項１乃至５の何れか１項に記載の空気調和機。
【請求項７】
上記制御部は、上記単位期間における上記圧縮機の消費電力の積算値が上記目標消費電力を超えた場合には、上記回転数判定部により上記圧縮機に上記上限回転数を設定した状態で上記圧縮機の運転を継続させる、請求項５に記載の空気調和機。
【請求項８】
上記制御部は、さらに、上記単位期間における上記圧縮機の上記消費電力の積算値が上記目標消費電力を超えた場合には、この超えた分の消費電力に基づいて次回の上記単位期間における上記目標消費電力を修正させる目標消費電力修正部を備える、請求項５又は６に記載の空気調和機。
【請求項９】
上記制御部は、さらに、上記単位期間における上記圧縮機の上記消費電力の積算値が上記目標消費電力を超えた場合には、上記圧縮機の運転を停止させる設定を行う強制停止設定部を備える、請求項１乃至８の何れか１項に記載の空気調和機。
【発明の詳細な説明】
【技術分野】
【０００１】
本発明は、空気調和機に関する。
【背景技術】
【０００２】
空気調和機は、電気を多く消費し、電気料金が高くなりがちであり、省エネルギー性が求められている。従来から、空気調和機の構成要素の効率向上、冷凍サイクルシステムの最適化による消費電力の低減等により、空気調和機の省エネルギー性を高め、電気料金を安くすることが検討されている。
【０００３】
例えば、特許文献１に示すように、容量制御可能な圧縮機を備えている空気調和機が知られている。この空気調和機は、熱交換用のファンを含めたインバータの消費電力が空調用コントローラに予め設定されている値を超えた場合に、電圧計インバータの出力周波数及び出力電圧を下げ、圧縮機の仕事率を低下させ、消費電力のピークを最大の８０％とさせる運転を行う。
【先行技術文献】
【特許文献】
【０００４】
【特許文献１】特開平５−４４９８０号公報
【発明の概要】
【発明が解決しようとする課題】
【０００５】
しかしながら、上述のような従来の空気調和機によっても、夏期、冬期等の消費電力の大きい時期においては、使用者が想定外の高額の電気料金の請求書を受け取るという問題がある。
【０００６】
そこで、本発明は、上述した従来技術の問題を解決するものであり、大きな電力消費により使用者の想定外の高額の電気料金が生じることを抑制することができる空気調和機を提供することを目的としている。
【課題を解決するための手段】
【０００７】
上述した課題を解決するために、本発明は、冷媒を圧縮する圧縮機と、上記圧縮機の回転数を制御する制御部と、を有し、上記制御部は、使用者により予め指示がなされた単位期間における上記圧縮機の目標消費電力を設定する目標消費電力設定部と、上記単位期間における目標消費電力に基づき、上記単位期間における消費電力が上記目標消費電力を超えないように、上記圧縮機の回転数を制御する目標消費電力制御部とを備えることを特徴としている。
このように構成された本発明においては、制御部は、目標消費電力設定部により使用者により予め指示がなされた単位期間における上記圧縮機の目標消費電力を設定することができると共に、目標消費電力制御部により、単位期間における目標消費電力に基づき、単位期間における消費電力が目標消費電力を超えないように圧縮機の回転数を制御することができる。これにより、使用者により予め指示がなされた目標消費電力を超えるような想定外の電力消費を抑制し、想定外の電気料金を生じさせることを抑制することができる。
【０００８】
本発明において、好ましくは、上記制御部の目標消費電力設定部は、上記単位期間における目標消費電力に対応した上記単位期間における目標電気料金を設定する目標電気料金設定部を備える。
このように構成された本発明においては、制御部の目標消費電力設定部は、使用者が実感しやすい単位期間における目標電気料金という形式の入力により、単位期間における目標消費電力が設定されることができる。よって、使用者の想定する電気料金の範囲内で空気調和機を運転させることができる。
【０００９】
本発明において、好ましくは、上記制御部の目標消費電力設定部は、さらに、上記目標電気料金設定部が上記目標電気料金を設定する際に、上記空気調和機の過去の単位期間における電気料金を表示する参考電気料金表示部を備える。
このように構成された本発明においては、参考電気料金表示部により、過去の単位期間における電気料金を表示させながら、目標電気料金設定部により単位期間における目標電気料金の入力を受けることができる。従って、使用者が過去の単位期間における電気料金を参考にして単位期間における目標電気料金を決定することができる。
【００１０】
本発明において、好ましくは、上記制御部の目標消費電力制御部は、上記目標電気料金設定部が上記目標電気料金を設定した日前の上記単位期間における運転状態に基づき、上記目標電気料金を設定した日以後の上記単位期間における平均目標電力を決定する平均目標電力決定部と、上記平均目標電力決定部により決定された上記単位期間における上記平均目標電力に基づいて上記圧縮機の上限回転数を設定する上限回転数設定部と、を備える。
このように構成された本発明においては、制御部の上記目標消費電力制御部は、平均目標電力決定部により目標電気料金設定部が目標電気料金を設定した日前の単位期間における運転状態に基づき、目標電気料金を設定した日以後の単位期間における平均目標電力を決定することができる。さらに、上限回転数設定部により平均目標電力決定部により決定された単位期間における平均目標電力に基づいて圧縮機の上限回転数を設定することができる。よって、直前の単位期間における運転状態を反映して、単位期間における消費電力を目標消費電力内に収めやすくなるような圧縮機の上限回転数を設定できる。
【００１１】
本発明において、好ましくは、上記制御部の目標消費電力制御部は、さらに、圧縮機が指令を受けた指令回転数が、上記上限回転数以上となるか否かを判定する回転数判定部を備え、上記圧縮機が指令を受けた指令回転数が、上記上限回転数以上となる場合には、上記回転数判定部により、上記圧縮機を上限回転数で運転させる。
このように構成された本発明においては、圧縮機が指令を受けた指令回転数が、上限回転数以上となる場合には、回転数判定部により、圧縮機を上限回転数で運転させ、消費電力を目標消費電力内に収めやすくなるように抑制させることができる。
【００１２】
本発明において、好ましくは、さらに、所定の情報を報知する報知部を備え、上記制御部は、さらに、上記単位期間における上記圧縮機の消費電力の積算値が、上記単位期間における上記目標消費電力を超えていないか否かを判定する消費電力判定部を備え、上記単位期間における上記圧縮機の消費電力の積算値が上記目標消費電力を超えた場合には、上記報知部により上記消費電力の積算値が上記目標消費電力を超えた情報を報知させる。
このように構成された本発明においては、消費電力判定部により単位期間における圧縮機の消費電力の積算値が、単位期間における目標消費電力を超えていないか否かを判定している。よって、単位期間における圧縮機の消費電力の積算値が目標消費電力を超えた場合には、使用者に、目標消費電力を超えるような想定外の電力消費が生じていることを報知し、想定外の電気料金を生じさせることをより抑制することができる。
【００１３】
本発明において、好ましくは、上記制御部は、上記単位期間における上記圧縮機の消費電力の積算値が上記目標消費電力を超えた場合には、上記回転数判定部により上記圧縮機に上記上限回転数を設定した状態で上記圧縮機の運転を継続させる。
このように構成された本発明においては、制御部は、上記単位期間における消費電力の積算値が上記目標消費電力を超えた場合においても、圧縮機の運転を停止させることなく、空気調和機の運転を継続させる。よって、圧縮機の運転が停止され、使用者が空気調和機が故障したと誤解することを抑制することができる。また、圧縮機の運転を継続しながらも、圧縮機に上限回転数を設定し、消費電力の積算値の増大を抑制させることができる。
【００１４】
本発明において、好ましくは、上記制御部は、さらに、上記単位期間における上記圧縮機の消費電力の積算値が上記目標消費電力を超えた場合には、この超えた分の消費電力に基づいて次回の上記単位期間における上記目標消費電力を修正させる目標消費電力修正部を備える。
このように構成された本発明においては、目標消費電力修正部により、１つの単位期間における積算値が目標消費電力を超えた場合に、次回の単位期間における目標消費電力を修正して、複数の単位期間の合計として見た場合に、当初設定された目標消費電力の仮合計値を超えないように電力消費を抑制し、想定外の電力消費を抑制し、想定外の電気料金を生じさせることを抑制することができる。
【００１５】
本発明において、好ましくは、上記制御部は、さらに、上記単位期間における上記圧縮機の消費電力の積算値が上記目標消費電力を超えた場合には、上記圧縮機の運転を停止させる設定を行う強制停止設定部を備える。
このように構成された本発明においては、強制停止設定部により、単位期間における圧縮機の消費電力の積算値が目標消費電力を超えた場合に、圧縮機の運転を停止させ、想定外の電気料金を生じさせることを直ちに且つ効果的に防止することができる。
【発明の効果】
【００１６】
本発明の空気調和機によれば、大きな電力消費により使用者の想定外の高額の電気料金が生じることを抑制することができる。
【図面の簡単な説明】
【００１７】
【図１】本発明の一実施形態による空気調和機の概略構成図である。
【図２】本発明の一実施形態による空気調和機における制御内容を示すフローチャートである。
【図３】本発明の一実施形態による空気調和機における「目標室温と実際の室温との温度差」と圧縮機の指令回転数との関係を示す線図である。
【図４】本発明の一実施形態による空気調和機における「圧縮機の指令回転数」と「圧縮機の消費電力量」との関係を示す線図である。
【発明を実施するための形態】
【００１８】
以下、図１を参照して、本発明の一実施形態による空気調和機について説明する。図１は本発明の一実施形態による空気調和機の概略構成図である。
図１に示すように、空気調和機１は、室外に設けられる室外機２と、暖房する室内に設けられる室内機４と、室外機２と室内機４を接続して冷媒を循環させる冷媒配管６を備えている。更に、空気調和機１は、室外機２及び室内機４を制御する制御装置８と、使用者が操作する操作部であるリモコンスイッチ１０と、所定の情報を使用者に報知する報知部１２と、を備えている。
室外機２は、冷媒を圧縮する圧縮機１４と、室外熱交換器１６と、冷媒を減圧させる膨張弁１８と、室外から外気を吸い込む室外ファン２０と、を備えている。室外熱交換器１６は、室外ファン２０によって導入される外気と冷媒とを熱交換させる。
【００１９】
室外機２の圧縮機１４は、インバータ（図示せず）を利用して回転数が可変に構成されている。圧縮機１４は、圧縮機１４に供給される電流を検出及び測定する電流測定部１５を備えている。電流測定部１５は、圧縮機１４に供給される電流を測定している。
【００２０】
室内機４は、冷媒と室内空気とを熱交換させる室内熱交換器２２と、室内に熱交換された空気を吹き出す室内ファン２４と、室内の室内温度を検知する室内温度センサー２６とを備えている。
圧縮機１４、室内熱交換器２２、膨張弁１８及び室外熱交換器１６は、冷媒を循環させる冷媒配管６により接続され、冷凍サイクルを構成している。
【００２１】
リモコンスイッチ１０に代えて、スマートホン又はＰＣから制御装置８に指令信号を送るようにしてもよい。リモコンスイッチ１０は、目標室温、単位期間Ｔにおける目標電気料金Ａ等を設定できるようになっている。目標室温は、例えば室内中央の目標室温に対応し、室内温度センサー２６により検知される室温の目標室温として設定されている。リモコンスイッチ１０は、使用者の操作指令を示す指令信号を制御装置８に送信する。
報知部１２は、表示画面及び／又はスピーカー等を備え、後述するような消費電力の積算値が目標消費電力を超えた情報を、視覚及び/又は音声の情報により使用者に報知することができる。
【００２２】
制御装置８は、例えば室外機２の圧縮機１４、膨張弁１８、及び室外ファン２０、室内機４の室内ファン２４及び室内温度センサー２６、及びリモコンスイッチ１０と電気的に接続されている。制御装置８は電気的に接続されている各機器の制御を行うことができる。例えば制御装置８はインバータ（図示せず）を介して圧縮機１４の回転数を制御する。制御装置８は、基板上に配置されたＣＰＵ及びメモリ等を備え、メモリ等に記憶された所定の制御プログラム、リモコンスイッチ１０からの指令信号等に基づいて、各機器の制御を行うことができる。
【００２３】
制御装置８は、圧縮機１４の単位期間Ｔにおける目標消費電力Ｂが設定される目標消費電力設定部３０と、単位期間Ｔにおける目標消費電力Ｂに基づいた回転数を利用して単位期間Ｔにおける消費電力が単位期間Ｔにおける目標消費電力Ｂを超えないように圧縮機１４を制御する目標消費電力制御部３２とを備えている。
【００２４】
制御装置８の目標消費電力設定部３０は、単位期間Ｔにおける目標消費電力Ｂに対応した単位期間Ｔにおける目標電気料金Ａの入力を受ける目標電気料金設定部３４を備える。制御装置８の目標消費電力設定部３０は、さらに、目標電気料金設定部３４が目標電気料金を設定する際に、空気調和機１の過去の単位期間における電気料金を表示させる参考電気料金表示部３６を備える。
【００２５】
制御装置８の目標消費電力制御部３２は、目標電気料金設定部３４が目標電気料金Ａを設定した日前の単位期間Ｔにおける運転状態に基づき、目標電気料金Ａを設定した日以後の単位期間Ｔにおける平均目標電力Ｃを決定する平均目標電力決定部３８と、平均目標電力決定部３８により決定された単位期間Ｔにおける平均目標電力Ｃに基づいて圧縮機１４の上限回転数を設定する上限回転数設定部４０と、圧縮機１４が指令を受けた指令回転数が、上限回転数以上となるか否かを判定する回転数判定部４２と、単位期間Ｔにおける圧縮機１４の消費電力の積算値が、単位期間Ｔにおける目標消費電力Ｂを超えていないか否かを判定する消費電力判定部４４を備えている。
【００２６】
制御装置８は、さらに、単位期間Ｔにおける圧縮機１４の消費電力の積算値が目標消費電力Ｂを超えた場合には、この超えた分の消費電力に基づいて次回の単位期間Ｔにおける目標消費電力Ｂを修正させる目標消費電力修正部４６を備えていてもよい。
制御装置８は、さらに、単位期間Ｔにおける圧縮機１４の消費電力の積算値が目標消費電力Ｂを超えた場合には、圧縮機１４の運転を停止させる設定を行う強制停止設定部４８を備えていてもよい。
【００２７】
つぎに、図２を参照して、本発明の一実施形態による空気調和機の制御内容について説明する。図２において、Ｓはステップを示している。
先ず、Ｓ１において、使用者がリモコンスイッチ１０を操作して単位期間Ｔ（例えば、１週間）における目標電気料金Ａ（例えば、１０００円）を入力及び設定する。よって、使用者により予め指示がなされた目標電気料金Ａが設定される。使用者は、目標電気料金Ａを想定する。制御装置８の目標電気料金設定部３４は、単位期間Ｔにおける目標電気料金Ａの入力を受け、この目標電気料金Ａを設定する。
単位期間Ｔは、１週間以外に、１ヶ月でもよく、任意の長さの一定期間として設定される。また、例えば使用者が１ヶ月の目標電気料金Ａを入力した場合に、目標電気料金設定部３４は、１ケ月の目標電気料金Ａを１週間ごとに分けて、１週間の単位期間Ｔにおける目標電気料金Ａが設定されるようにしてもよい。
【００２８】
制御装置８は、参考電気料金表示部３６により、目標電気料金設定部３４が目標電気料金Ａの入力を受ける際に、空気調和機１の直前の過去の単位期間の電気料金を参考電気料金として表示させる。参考電気料金表示部３６により、直前の単位期間の過去の電気料金を表示させながら、目標電気料金設定部３４により単位期間Ｔにおける目標電気料金Ａの入力を受けることができる。従って、使用者が直前の単位期間の過去の電気料金と比較して単位期間Ｔにおける目標電気料金Ａを決定することができる。なお、過去の単位期間は、直前の過去の単位期間Ｔ又はさらにその前の過去の単位期間Ｔ等又は任意の単位期間とすることもできる。
【００２９】
次に、Ｓ２に進み、制御装置８は、目標消費電力設定部３０により目標電気料金Ａに基づいて、圧縮機１４の単位期間Ｔにおける目標消費電力Ｂ（例えば、５０ｋＷｈ）を設定する。
【００３０】
次に、Ｓ３に進み、制御装置８における目標消費電力制御部３２の平均目標電力決定部３８は、目標電気料金設定部３４が目標電気料金Ａを設定した日前の直前の単位期間Ｔにおける空気調和機１の運転状態、例えば単位期間Ｔにおける空気調和機１の累積の運転時間を取得する。制御装置８は、各単位期間Ｔにおける空気調和機１の累積の運転時間を記憶している。制御装置８は、直前（過去）の単位期間Ｔにおける空気調和機１の累積の運転時間を取得することにより、直後（将来）の単位期間Ｔにおける空気調和機１の累積の運転時間が、同様の又は比較的近い運転時間となると推定する。
【００３１】
次に、Ｓ４に進み、平均目標電力決定部３８は、直後の単位期間Ｔにおける空気調和機１の運転状態、例えば単位期間Ｔにおける空気調和機１の予想の累積の運転時間を推定する。平均目標電力決定部３８によれば、例えば、直前の単位期間Ｔにおける空気調和機１の累積の運転時間を直後の単位期間Ｔにおける空気調和機１の予想の累積運転時間として推定する。直後の単位期間Ｔにおける気候は直前の単位期間Ｔにおける気候と類似していることから直前の単位期間の運転状態を直後の単位期間の運転状態に援用できる。
【００３２】
次に、Ｓ５に進み、平均目標電力決定部３８は、圧縮機１４の単位期間Ｔにおける目標消費電力Ｂを、直後の単位期間Ｔにおける予想の累積運転時間で除することにより、目標電気料金Ａを設定した日以後の単位期間Ｔにおける平均目標電力Ｃを決定する。
次に、Ｓ６において、上限回転数設定部４０は、平均目標電力決定部３８により決定された単位期間Ｔにおける平均目標電力Ｃに基づいて圧縮機１４の上限回転数を設定する。例えば、平均目標電力Ｃを圧縮機１４の１回転に必要な電力値で除することにより圧縮機１４の上限回転数を算定する。上限回転数は、暖房、冷房等の違いにより、補正係数や補正テーブル等を用いて補正されて算定されてもよい。
【００３３】
次に、Ｓ７において、制御装置８は、回転数判定部４２により、圧縮機１４が指令を受けた指令回転数が、上限回転数以上となるか否かを判定する。なお、図３に示すように、圧縮機１４が、基本的な運転制御中に指令を受ける指令回転数は、目標室温から実際の室温を控除した差額が増大するにつれて増大する。また、図４に示すように、圧縮機１４の消費電力量は、圧縮機１４の指令回転数が増大するにつれて増大する。
Ｓ７において、圧縮機１４が指令を受けた指令回転数が、上限回転数以上となると判定される場合には、回転数判定部４２により、圧縮機１４を上限回転数で運転させることにより、消費電力を目標消費電力Ｂ内に収めるように効果的に抑制できる場合であると判断して、Ｓ８に進む。
Ｓ７において、圧縮機１４が指令を受けた指令回転数が、上限回転数未満である場合には、回転数判定部４２により、圧縮機１４を指令回転数で運転させても、消費電力が目標消費電力Ｂを超えにくい場合であると判断して、Ｓ９に進む。
【００３４】
Ｓ８においては、制御装置８は、圧縮機１４を上限回転数で運転させる。
Ｓ９においては、制御装置８は、圧縮機１４を指令回転数で運転させる。
次にＳ８及びＳ９に続いてＳ１０に進み、制御装置８は、電流測定部１５により測定される圧縮機１４に供給される電流に基づいて、単位期間Ｔにおける圧縮機１４の消費電力の積算値を算定及び取得する。
【００３５】
次に、Ｓ１１に進み、制御装置８は、消費電力判定部４４により、単位期間Ｔにおける圧縮機１４の消費電力の積算値が、単位期間Ｔにおける目標消費電力Ｂを超えていないか否かを判定する。
Ｓ１１において、制御装置８は、消費電力判定部４４により、単位期間Ｔにおける圧縮機１４の消費電力の積算値が、単位期間Ｔにおける目標消費電力Ｂを超えていないと判定される場合には、単位期間Ｔにおける目標消費電力Ｂを超えないように圧縮機１４の回転数の制御を実行できており、消費電力を想定内の消費電力に抑制できていると判断できる。従って、制御装置８は、目標消費電力制御部３２による制御を継続させるため、Ｓ１１からＳ１２に進む。
Ｓ１１において、制御装置８は、消費電力判定部４４により、単位期間Ｔにおける圧縮機１４の消費電力の積算値が、単位期間Ｔにおける目標消費電力Ｂを超えると判定される場合には、使用者に単位期間Ｔにおける圧縮機１４の消費電力の積算値が、単位期間Ｔにおける目標消費電力Ｂを超えたこと及び消費電力を想定内の消費電力に抑制できていないことを報知させる必要があると判断できる。従って、制御装置８は、Ｓ１１からＳ１３に進む。
【００３６】
次に、Ｓ１２に進むとき、制御装置８は、目標消費電力制御部３２による制御を継続する。Ｓ１２においてこの制御の継続中に新たに使用者がリモコンスイッチ１０を操作して単位期間Ｔにおける目標電気料金Ａを入力及び設定することをせず、単位期間Ｔが経過すると、スタートに戻る。
【００３７】
次に、Ｓ１３に進むとき、制御装置８は、報知部１２により消費電力の積算値が目標消費電力Ｂを超えた情報を使用者に報知させる。
次に、Ｓ１４に進み、制御装置８は、回転数判定部４２により圧縮機１４に上限回転数を設定した状態で圧縮機１４の運転を継続させる。Ｓ１４において、この制御の継続中に新たに使用者がリモコンスイッチ１０を操作して単位期間Ｔにおける目標電気料金Ａを入力及び設定することをせず単位期間Ｔが経過すると、スタートに戻る。
【００３８】
制御装置８は、Ｓ１２又はＳ１４から、再びスタートに戻る。戻りの時点で、新たに使用者がリモコンスイッチ１０を操作して単位期間Ｔにおける目標電気料金Ａを入力及び設定していない場合には、Ｓ１において、前回（過去）のＳ１における目標電気料金Ａの入力等を引き継ぐ。制御装置８が目標消費電力修正部４６を備える場合には、Ｓ１において、超えた分の消費電力に基づいて次回の単位期間Ｔにおける目標電気料金Ａを修正させ、続くＳ２における目標消費電力Ｂに目標電気料金Ａの修正を反映させて修正を行う。例えば、目標消費電力修正部４６は、単位期間Ｔにおける圧縮機１４の消費電力の積算値（例えば電気料金１３００円に対応する値）が目標消費電力Ｂ（例えば電気料金１０００円に対応する値）を超えた場合に、超えた分の消費電力（例えば電気料金３００円に対応する値）に基づいて次回の単位期間Ｔにおける目標電気料金Ａを修正させ（例えば、次回の目標電気料金Ａを直前の目標電気料金Ａからマイナス３００円とする修正をさせ）、続くＳ２における目標消費電力Ｂに目標電気料金Ａの修正を反映させて修正を行う。目標消費電力修正部４６は、超えた分の消費電力に基づいた補正係数により目標電気料金Ａを修正してもよく、又は超えた分の消費電力に基づいた補正テーブルを用いて目標電気料金Ａを修正してもよい。Ｓ２以後は再び同様の処理を行う。
【００３９】
つぎに、本発明の一実施形態による空気調和機の制御内容を具体的な数値の例に基づいて説明する。
Ｓ１において、使用者はリモコンスイッチ１０を操作して単位期間Ｔ（例えば、１週間）における目標電気料金Ａ（例えば、１０００円）を入力及び設定する。次に、Ｓ２に進み、制御装置８は、１０００円の目標電気料金Ａに対し、電気料金が２０円／ｋＷｈと仮定し、１０００円／２０[円／ｋＷｈ]＝５０ｋＷｈを得る。５０ｋＷｈが単位期間Ｔにおける目標消費電力Ｂである。単位期間Ｔにおいて５０ｋＷｈまで電力消費が可能ということが分かる。次に、Ｓ３に進み、直前の単位期間Ｔにおける空気調和機１の累積の運転時間が５０ｈ／ｗｅｅｋであることを得る。次に、Ｓ４に進み、直後の単位期間Ｔにおける空気調和機１の予想の累積の運転時間が５０ｈ／ｗｅｅｋであると推定する。
【００４０】
次に、Ｓ５に進み、平均目標電力Ｃを、５０ｋＷｈ（目標消費電力Ｂ）／５０[ｈ／ｗｅｅｋ]＝１ｋＷ＝１０００Ｗ（平均目標電力Ｃ）として決定する。次に、Ｓ６に進み、平均目標電力Ｃを圧縮機１４の１回転に必要な電力値（１回転に必要な電力値）で除することにより圧縮機１４の上限回転数を算定する。具体的には、１０００Ｗ（平均目標電力Ｃ）／１０[Ｗ／ｒｐｓ]＝１００ｒｐｓ（圧縮機１４の上限回転数）の式により上限回転数が算定される。
【００４１】
次に、Ｓ７に進み、制御装置８は、回転数判定部４２により、圧縮機１４が指令を受けた指令回転数が、上限回転数以上となるか否かを判定する。指令回転数が１２０ｒｐｓであり且つ上限回転数が１００ｒｐｓである場合、Ｓ８におけるように、圧縮機１４は上限回転数の１００ｒｐｓで運転される。指令回転数が８０ｒｐｓであり且つ上限回転数が１００ｒｐｓである場合、Ｓ９におけるように、圧縮機１４は指令回転数の８０ｒｐｓで運転される。次に、Ｓ１０に進み、圧縮機１４の消費電力の積算値を取得する。さらに、Ｓ１１に進み、圧縮機１４の消費電力の積算値が、５０ｋＷｈ（目標消費電力Ｂ）を超えていないか否かを判定する。Ｓ１２において、消費電力の積算値が、目標消費電力Ｂを超えると判定される場合には、Ｓ１３において制御装置８は、報知部１２により消費電力の積算値が目標消費電力Ｂを超えた情報を使用者に報知させる。次に、Ｓ１４に進み、制御装置８は、回転数判定部４２により圧縮機１４の上限回転数（１００ｒｐｓ）を設定した状態で圧縮機１４の運転を継続させる。その後、制御装置８は、再びスタートに戻る。
【００４２】
上述した本発明の一実施形態による空気調和機１によれば、制御装置８は、目標消費電力設定部３０により使用者により予め指示がなされた単位期間Ｔにおける目標消費電力Ｂを設定することができると共に、目標消費電力制御部３２により、単位期間Ｔにおける目標消費電力Ｂに基づき、単位期間Ｔにおける消費電力が目標消費電力Ｂを超えないように圧縮機１４の回転数を制御することができる。これにより、使用者により予め指示がなされた目標消費電力Ｂを超えるような想定外の電力消費を抑制し、想定外の電気料金を生じさせることを抑制することができる。
【００４３】
また、本発明の一実施形態による空気調和機１によれば、制御装置８の目標消費電力設定部３０は、使用者が実感しやすい単位期間Ｔにおける目標電気料金Ａという形式の入力により、単位期間Ｔにおける目標消費電力Ｂが設定されることができる。よって、使用者の想定する電気料金の範囲内で空気調和機１を運転させることができる。
【００４４】
さらに、本発明の一実施形態による空気調和機１によれば、参考電気料金表示部３６により、過去の単位期間における電気料金を表示させながら、目標電気料金設定部３４により単位期間Ｔにおける目標電気料金Ａの入力を受けることができる。従って、使用者が過去の単位期間における電気料金を参考にして単位期間Ｔにおける目標電気料金Ａを決定することができる。
【００４５】
さらに、本発明の一実施形態による空気調和機１によれば、制御装置８の目標消費電力制御部３２は、平均目標電力決定部３８により目標電気料金設定部３４が目標電気料金Ａを設定した日前の単位期間Ｔにおける運転状態に基づき、目標電気料金Ａを設定した日以後の単位期間Ｔにおける平均目標電力Ｃを決定することができる。さらに、上限回転数設定部４０により平均目標電力決定部３８により決定された単位期間Ｔにおける平均目標電力Ｃに基づいて圧縮機１４の上限回転数を設定することができる。よって、直前の単位期間Ｔにおける運転状態を反映して、単位期間Ｔにおける消費電力を目標消費電力Ｂ内に収めやすくなるような圧縮機１４の上限回転数を設定できる。
【００４６】
さらに、本発明の一実施形態による空気調和機１によれば、圧縮機１４が指令を受けた指令回転数が、上限回転数以上となる場合には、回転数判定部４２により、圧縮機１４を上限回転数で運転させ、消費電力を目標消費電力Ｂ内に収めやすくなるように抑制させることができる。
【００４７】
さらに、本発明の一実施形態による空気調和機１によれば、消費電力判定部４４により単位期間Ｔにおける圧縮機１４の消費電力の積算値が、単位期間Ｔにおける目標消費電力Ｂを超えていないか否かを判定している。よって、単位期間Ｔにおける圧縮機１４の消費電力の積算値が目標消費電力Ｂを超えた場合には、使用者に、目標消費電力Ｂを超えるような想定外の電力消費が生じていることを報知し、想定外の電気料金を生じさせることをより抑制することができる。
【００４８】
さらに、本発明の一実施形態による空気調和機１によれば、制御装置８は、単位期間Ｔにおける消費電力の積算値が目標消費電力Ｂを超えた場合においても、圧縮機１４の運転を停止させることなく、空気調和機１の運転を継続させる。よって、圧縮機１４の運転が停止され、使用者が空気調和機１が故障したと誤解することを抑制することができる。また、圧縮機１４の運転を継続しながらも、圧縮機１４に上限回転数を設定し、消費電力の積算値の増大を抑制させることができる。
【００４９】
さらに、本発明の一実施形態による空気調和機１によれば、目標消費電力修正部４６により、１つの単位期間Ｔにおける積算値が目標消費電力Ｂを超えた場合に、次回の単位期間Ｔにおける目標消費電力Ｂを修正して、複数の単位期間Ｔの合計として見た場合に、当初設定された目標消費電力Ｂの仮合計値を超えないように電力消費を抑制し、想定外の電力消費を抑制し、想定外の電気料金を生じさせることを抑制することができる。
【００５０】
さらに、本発明の一実施形態による空気調和機１によれば、強制停止設定部４８により、単位期間Ｔにおける圧縮機１４の消費電力の積算値が目標消費電力Ｂを超えた場合に、圧縮機１４の運転を停止させ、想定外の電気料金を生じさせることを直ちに且つ効果的に防止することができる。
【符号の説明】
【００５１】
１  空気調和機
１２  報知部
１４  圧縮機
３０  目標消費電力設定部
３２  目標消費電力制御部
３４  目標電気料金設定部
３６  参考電気料金表示部
３８  平均目標電力決定部
４０  上限回転数設定部
４２  回転数判定部
４４  消費電力判定部
４６  目標消費電力修正部
４８  強制停止設定部
Ａ  目標電気料金
Ｂ  目標消費電力
Ｃ  平均目標電力
Ｔ  単位期間
【図１】
2020020557.tif 000003
【図２】
2020020557.tif 000004
【図３】
2020020557.tif 000005
【図４】
2020020557.tif 000006